(57)【要約】  ワイヤレスネットワークにおいて異なる使用ケースのバランスをとるためのチャネル依存型ＣＣＡしきい値用システムおよび方法が開示されている。一態様においてデバイスは、複数のチャネル上で送信を受信するように構成された受信機を含む。デバイスはまた、チャネルが１つの少なくとも第１のタイプまたは第２のタイプのチャネルであるかどうかを決定するように構成されたプロセッサを含む。チャネルが第１のタイプである場合、プロセッサは、第１のクリアチャネルアセスメントしきい値のセットに少なくとも部分的に基づいて、チャネルが利用可能であるかどうかを決定するように構成される。チャネルが第２のタイプである場合、プロセッサは、第２のクリアチャネルアセスメントしきい値のセットに少なくとも部分的に基づいて、チャネルが利用可能であるかどうかを決定するように構成され、第２のクリアチャネルアセスメントしきい値のセットが第１のクリアチャネルアセスメントしきい値のセット以上である。
2016518072.tif 000002
【特許請求の範囲】
【請求項１】
ワイヤレス通信ネットワーク上で通信するためのデバイスであって、前記デバイスは下記を備える、
複数のチャネル上で送信を受信するように構成された受信機と、
プロセッサであって、
前記複数のチャネルのうちの１つのチャネルが、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上である、と、
を行うように構成されたプロセッサ。
【請求項２】
前記第１のクリアチャネルアセスメントしきい値のセットは、複数のしきい値を備える、請求項１に記載のデバイス。
【請求項３】
前記第１のクリアチャネルアセスメントしきい値のセットは、ミッドパケット検出、パケットの開始検出、およびエネルギー検出のうちの２つ以上のためのしきい値を備える、請求項２に記載のデバイス。
【請求項４】
前記第２のクリアチャネルアセスメントしきい値のセットは、複数のしきい値を備える、請求項１に記載のデバイス。
【請求項５】
前記第２のクリアチャネルアセスメントしきい値のセットは、ミッドパケット検出、パケットの開始検出、およびエネルギー検出のうちの２つ以上のためのしきい値を備える、請求項４に記載のデバイス。
【請求項６】
前記第２のクリアチャネルアセスメントしきい値のセットは、前記第１のクリアチャネルアセスメントしきい値のセットから導き出される、請求項１に記載のデバイス。
【請求項７】
前記導き出された第２のクリアチャネルアセスメントしきい値のセットは、前記第１のクリアチャネルアセスメントしきい値のセットと保護ファクタの合計を備える、請求項６に記載のデバイス。
【請求項８】
前記保護ファクタは、非ゼロ値である、請求項７に記載のデバイス。
【請求項９】
前記保護ファクタは、ゼロの値を有する、請求項７に記載のデバイス。
【請求項１０】
前記保護ファクタは、チャネルの帯域幅に少なくとも部分的に基づく、請求項７に記載のデバイス。
【請求項１１】
前記チャネルが利用可能である場合、前記チャネル上で送信するように構成された送信機をさらに備える、請求項１に記載のデバイス。
【請求項１２】
前記ワイヤレス通信ネットワークは、サブギガヘルツネットワークを備える、請求項１に記載のデバイス。
【請求項１３】
前記チャネルは、１ＭＨｚ、２ＭＨｚ、４ＭＨｚ、８ＭＨｚ、または１６ＭＨｚチャネルのうちの少なくとも１つである、請求項１に記載のデバイス。
【請求項１４】
前記チャネルの第１の部分は、第１のタイプのチャネルであり、前記チャネルの第２の部分は、第２のタイプのチャネルである、請求項１に記載のデバイス。
【請求項１５】
ワイヤレス通信ネットワーク上で通信するための方法であって、前記方法は下記を備える、
複数のチャネルのうちの１つのチャネルが、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上である。
【請求項１６】
前記第１のクリアチャネルアセスメントしきい値のセットは、複数のしきい値を備える、請求項１５に記載の方法。
【請求項１７】
前記第２のクリアチャネルアセスメントしきい値のセットは、複数のしきい値を備える、請求項１５に記載の方法。
【請求項１８】
前記第１のクリアチャネルアセスメントしきい値のセットは、ミッドパケット検出、パケットの開始検出、およびエネルギー検出のうちの２つ以上のためのしきい値を備える、請求項１６に記載の方法。
【請求項１９】
前記第２のクリアチャネルアセスメントしきい値のセットは、ミッドパケット検出、パケットの開始検出、およびエネルギー検出のうちの２つ以上のためのしきい値を備える、請求項１６に記載の方法。
【請求項２０】
前記第２のクリアチャネルアセスメントしきい値のセットは、前記第１のクリアチャネルアセスメントしきい値のセットから導き出される、請求項１５に記載の方法。
【請求項２１】
前記導き出された第２のクリアチャネルアセスメントしきい値のセットは、前記第１のクリアチャネルアセスメントしきい値のセットと保護ファクタの合計を備える、請求項２１に記載の方法。
【請求項２２】
前記保護ファクタは、非ゼロ値である、請求項２１に記載の方法。
【請求項２３】
前記保護ファクタは、ゼロの値を有する、請求項２１に記載の方法。
【請求項２４】
前記保護ファクタは、チャネルの帯域幅に少なくとも部分的に基づく、請求項２１に記載の方法。
【請求項２５】
前記チャネルが利用可能である場合、前記チャネル上で送信することをさらに備える、請求項１５に記載の方法。
【請求項２６】
前記ワイヤレス通信ネットワークは、サブギガヘルツネットワークを備える、請求項１５に記載の方法。
【請求項２７】
前記チャネルは、１ＭＨｚ、２ＭＨｚ、４ＭＨｚ、８ＭＨｚ、または１６ＭＨｚチャネルのうちの少なくとも１つである、請求項１５に記載の方法。
【請求項２８】
前記チャネルの第１の部分は、第１のタイプのチャネルであり、前記チャネルの第２の部分は、第２のタイプのチャネルである、請求項１５に記載の方法。
【請求項２９】
前記複数のチャネルのうちの前記１つのチャネルが、少なくとも前記第１または第２のタイプのチャネルのうちの１つであるかどうかを決定するのに十分な情報を受信することをさらに備える、請求項１６に記載の方法。
【請求項３０】
ワイヤレス通信ネットワーク上で通信するためのデバイスであって、前記デバイスは下記を備える、
複数のチャネルのうちの１つのチャネルが、少なくとも第１のタイプまたは第２のタイプのチャネルのうちの１つであるかどうかを決定するための手段と、
前記チャネルが前記第１のタイプのチャネルである場合、第１のクリアチャネルアセスメントしきい値のセットに少なくとも部分的に基づいて、前記チャネルが利用可能であるかどうかを決定するための手段と、
前記チャネルが前記第２のタイプのチャネルである場合、第２のクリアチャネルアセスメントしきい値のセットに少なくとも部分的に基づいて、前記チャネルが利用可能であるかどうかを決定するための手段、ここで、前記第２のクリアチャネルアセスメントしきい値のセットが前記第１のクリアチャネルアセスメントしきい値のセット以上である。
【請求項３１】
実行されるとき、デバイス中のプロセッサにワイヤレス通信ネットワーク上で通信するための方法を実行させる命令を備える非一時的なコンピュータ可読媒体であって、前記方法は下記を備える、
複数のチャネルのうちの１つのチャネルが、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上である。
【発明の詳細な説明】
【背景技術】
【０００１】
［技術分野］
[0001]本出願は一般に、ワイヤレス通信に関し、より具体的には、ワイヤレスネットワークにおいて異なる使用ケースのバランスをとる（balance）ためのチャネル依存型ＣＣＡしきい値用システム、方法、およびデバイスに関する。
【０００２】
[0002]多くのテレコミュニケーションシステムでは、通信ネットワークが、いくつかの相互作用する空間的に隔てられたデバイス間でメッセージを交換するために使用される。ネットワークは、例えば、メトロポリタンエリア、ローカルエリア、またはパーソナルエリアでありうる、地理的範囲にしたがって分類されることができる。このようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）としてそれぞれ指定されうる。ネットワークはまた、様々なネットワークノードおよびデバイスを相互接続するために使用される交換（switching）／ルーティングの技法（例えば、回線交換対パケット交換）、送信のために用いられる物理媒体のタイプ（例えば、有線対ワイヤレス）、および使用される通信プロトコルのセット（例えば、インターネットプロトコルスイート、ＳＯＮＥＴ（同期型光ネットワーキング）、イーサネット（登録商標）など）にしたがって異なる。
【０００３】
[0003]ワイヤレスネットワークは、しばしば、ネットワーク要素がモバイルであり、それにより動的接続性のニーズを有するとき、またはネットワークアーキテクチャが、固定式よりむしろ、アドホックのトポロジにおいて形成される場合に好まれる。ワイヤレスネットワークは、無線、マイクロ波、赤外線、光などの周波数帯域における電磁波を使用して、無誘導伝搬モード（unguided propagation mode）で無形物理媒体を用いる。ワイヤレスネットワークは、固定式有線ネットワークと比較されると、ユーザモビリティおよび高速なフィールド展開を有利に促進する。
【０００４】
[0004]ワイヤレスネットワークにおけるデバイスは、互いの間で情報を送信／受信することができる。情報はパケットを備えることができ、それはいくつかの態様において、データユニットと称されうる。パケットは、ネットワークを通じてパケットをルーティングすること、パケットにおけるデータを識別すること、パケットを処理すること等を助けるオーバヘッド情報（例えば、ヘッダ情報、パケット特性など）のみならず、パケットのペイロードにおいて搬送されうるような、例えば、ユーザデータ、マルチメディアコンテンツ等の、データを含むことができる。
【発明の概要】
【０００５】
[0005]添付の請求項の範囲内のシステム、方法、およびデバイスの様々な実装は、いくつかの態様をそれぞれ有し、これらのうちのどれ１つとして、単独で本明細書で説明されている望ましい属性を担うものではない。添付の請求項の範囲を限定することなく、いくつかの顕著な特徴が本明細書で説明されている。この説明を考慮した後、また、特に「発明を実施するための形態（詳細な説明）」と題するセクションを読んだ後、当業者は、どのように様々な実装の特徴が、媒体アクセスパラメータのチューニング（tuning）を可能にするかを理解するだろう。
【０００６】
[0006]いくつかの態様において、ワイヤレス通信ネットワーク上で通信するためのデバイスが開示されている。デバイスは、複数のチャネル上で送信を受信するように構成された受信機と、当該複数のチャネルのうちの１つのチャネルが、少なくとも第１のタイプまたは第２のタイプのチャネルのうちの１つであるかどうかを決定し、当該チャネルが当該第１のタイプのチャネルである場合、第１のクリアチャネルアセスメントしきい値のセットに少なくとも部分的に基づいて当該チャネルが利用可能であるかどうかを決定し、当該チャネルが当該第２のタイプのチャネルである場合、第２のクリアチャネルアセスメントしきい値のセットに少なくとも部分的に基づいて当該チャネルが利用可能であるかどうかを決定するように構成されたプロセッサと、を備え、ここにおいて、当該第２のクリアチャネルアセスメントしきい値のセットは、当該第１のクリアチャネルアセスメントしきい値のセット以上である。
【０００７】
[0007]別の態様では、ワイヤレス通信ネットワーク上で通信するための方法が開示されている。方法は、複数のチャネルのうちの１つのチャネルを受信することと、当該チャネルが、少なくとも第１のタイプまたは第２のタイプのチャネルのうちの１つであるかどうかを決定することと、当該チャネルが当該第１のタイプのチャネルである場合、第１のクリアチャネルアセスメントしきい値のセットに少なくとも部分的に基づいて当該チャネルが利用可能であるかどうかを決定することと、当該チャネルが当該第２のタイプのチャネルである場合、第２のクリアチャネルアセスメントしきい値のセットに少なくとも部分的に基づいて当該チャネルが利用可能であるかどうかを決定することと、を備え、ここで、当該第２のクリアチャネルアセスメントしきい値のセットは、当該第１のクリアチャネルアセスメントしきい値のセット以上である。
【０００８】
[0008]いくつかの態様において、ワイヤレス通信ネットワーク上で通信するためのデバイスが開示されている。デバイスは、複数のチャネルのうちの１つのチャネルを受信するための手段と、当該チャネルが、少なくとも第１のタイプまたは第２のタイプのチャネルのうちの１つであるかどうかを決定するための手段と、当該チャネルが当該第１のタイプのチャネルである場合、第１のクリアチャネルアセスメントしきい値のセットに少なくとも部分的に基づいて当該チャネルが利用可能であるかどうかを決定するための手段と、当該チャネルが当該第２のタイプのチャネルである場合、第２のクリアチャネルアセスメントしきい値のセットに少なくとも部分的に基づいて当該チャネルが利用可能であるかどうかを決定するための手段と、を備え、ここにおいて、当該第２のクリアチャネルアセスメントしきい値のセットは、当該第１のクリアチャネルアセスメントしきい値のセット以上である。
【０００９】
[0009]いくつかの態様において、実行されるとき、デバイスにおけるプロセッサにワイヤレス通信ネットワーク上で通信するための方法を実行させる命令を備える非一時的なコンピュータ可読媒体が開示されている。方法は、複数のチャネルのうちの１つのチャネルを受信することと、当該チャネルが、少なくとも第１のタイプまたは第２のタイプのチャネルのうちの１つであるかどうかを決定することと、当該チャネルが当該第１のタイプのチャネルである場合、第１のクリアチャネルアセスメントしきい値のセットに少なくとも部分的に基づいて当該チャネルが利用可能であるかどうかを決定することと、当該チャネルが当該第２のタイプのチャネルである場合、第２のクリアチャネルアセスメントしきい値のセットに少なくとも部分的に基づいて当該チャネルが利用可能であるかどうかを決定することと、を備え、ここで、当該第２のクリアチャネルアセスメントしきい値のセットは、当該第１のクリアチャネルアセスメントしきい値のセット以上である。
【図面の簡単な説明】
【００１０】
【図１】本開示の態様が用いられうるワイヤレス通信システムの例を例示している。
【図２】図１のワイヤレス通信システム内で用いられうるワイヤレスデバイスの例を例示している。
【図３】異なるＣＣＡしきい値を用いた２つ以上のタイプへのチャネルの分割の例を例示している。
【図４】ＳＴＡ１０６のようなワイヤレスデバイスによって使用されうるチャネル依存型ＣＣＡしきい値を１つのワイヤレスデバイスにおいて使用する方法を図示している。
【図５】異なるＣＣＡしきい値を用いた２つ以上のタイプへのチャネルの分割の別の例を例示している。
【図６】チャネル番号および帯域幅に対して区割りされたクリアチャネルアセスメントレベルの例示的な分布を描いているグラフである。
【発明を実施するための形態】
【００１１】
[0016]新規なシステム、装置、および方法の様々な態様が、添付の図面を参照して以下により十分に説明される。しかしながら、本教示の開示は、多くの異なる形態で具現化されることができ、この開示の全体にわたって提示される任意の特定の構造または機能に限定されると解釈されるべきではない。むしろ、これらの態様は、本開示が徹底的かつ完全であり、当業者に本開示の範囲を十分に伝えるように提供される。本明細書での教示に基づき、当業者は、本開示の範囲が、本発明のいずれの他の態様と組み合わされようと、あるいは本発明のいずれの他の態様からも独立して実装されようと、本明細書で開示されている新規なシステム、装置、および方法のいずれの態様もカバーするように意図されていることを認識すべきである。例えば、本明細書で説明されている任意の数の態様を使用して、装置が実装され、または方法が実施されうる。加えて、本発明の範囲は、本明細書で説明されている本発明の様々な態様に加えて、またはそれ以外の、他の構造、機能、または構造と機能を使用して実施されるそのような装置または方法をカバーするように意図されている。本明細書で開示されているいずれの態様も、請求項の１つまたは複数の要素によって具現化されうることは理解されるべきである。
【００１２】
[0017]特定の態様が本明細書で説明されているけれども、これらの態様の多くの変形および置換が、本開示の範囲内に含まれる。好ましい態様のいくつかの利益および利点が述べられるけれども、本開示の範囲は、特定の利益、使用、または目的に限定されるようには意図されない。むしろ、本開示の態様は、異なるワイヤレス技術、システム構成、ネットワーク、および送信プロトコルに広く適用可能であるように意図されており、そのうちのいくつかが、好ましい態様の以下の説明および図面において例として例示される。詳細な説明および図面は、限定というよりむしろ、本開示の単なる例示であり、本開示の範囲は、添付の請求項およびそれらの同等物によって定義されている。
【００１３】
[0018]ワイヤレスネットワーク技術は、ワイヤレスローカルエリアネットワーク（ＷＬＡＮ）の様々なタイプを含みうる。ＷＬＡＮは、広く使用されているネットワーキングプロトコルを用いて、近くのデバイスを互いに相互接続するために使用されうる。本明細書で説明されている様々な態様は、ＷｉＦｉ（登録商標）、またはより一般には、ワイヤレスプロトコルのＩＥＥＥ８０２．１１ファミリの任意のメンバのような、任意の通信規格に適用されうる。例えば、本明細書で説明されている様々な態様は、サブ１ＧＨｚ帯域を使用する、ＩＥＥＥ８０２．１１ａｈプロトコルの一部として使用されうる。
【００１４】
[0019]いくつかの態様では、サブギガヘルツ（sub-gigahertz）帯域におけるワイヤレス信号は、直交周波数分割多重化（ＯＦＤＭ）、または他のスキームを使用する８０２．１１ａｈプロトコルにしたがって、送信されうる。８０２．１１ａｈプロトコルの実装は、センサ、メータリング（metering）、およびスマートグリッドネットワークのために使用されうる。有利なことに、８０２．１１ａｈプロトコルを実装するある特定のデバイスの態様は、他のワイヤレスプロトコルを実装するデバイスよりも少ない電力を消費し、および／または、例えば、約１キロメートル以上の、比較的長距離（long range）にわたってワイヤレス信号を送信するために使用されうる。
【００１５】
[0020]いくつかの実装では、ＷＬＡＮは、ワイヤレスネットワークにアクセスするコンポーネントである様々なデバイスを含む。例えば２つのタイプのデバイス：アクセスポイント（「ＡＰ」）およびクライアント（局、または「ＳＴＡ」とも称される）が存在しうる。一般に、ＡＰは、ＷＬＡＮのためのハブまたは基地局としての役割をし、ＳＴＡは、ＷＬＡＮのユーザとしての役割をする。例えば、ＳＴＡは、ラップトップコンピュータ、携帯情報端末（ＰＤＡ）、モバイル電話、等でありうる。例では、ＳＴＡは、インターネットまたは他のワイドエリアネットワークへの一般的な接続性を取得するためにＷｉＦｉ（例えば、８０２．１１ａｈのようなＩＥＥＥ８０２．１１プロトコル）対応（compliant）ワイヤレスリンクを介してＡＰに接続する。いくつかの実装では、ＳＴＡはまた、ＡＰとして使用されうる。
【００１６】
[0021]アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、または何らかの他の用語を備えるか、それらとして実装されるか、またはそれらとして知られうる。
【００１７】
[0022]局「ＳＴＡ」はまた、アクセス端末（「ＡＴ」）、加入者局、加入者ユニット、モバイル局、遠隔局、遠隔端末、ユーザ端末、ユーザエージェント、ユーザデバイス、ユーザ機器、または何らかの他の用語を備えるか、それらとして実装されるか、またはそれらとして知られうる。いくつかの実装では、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適した処理デバイスを備えうる。したがって、本明細書で教示されている１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、または衛星ラジオ）、ゲームデバイスまたはシステム、全地球測位システムデバイス、またはワイヤレス媒体を介して通信するように構成されるあらゆる他の適したデバイス中に組み込まれうる。
【００１８】
[0023]上記で論じられたように、本明細書で説明されているデバイスのうちのある特定のものは、例えば、８０２．１１ａｈ規格を実装しうる。このようなデバイスは、ＳＴＡとして使用されようとＡＰとして使用されようと他のデバイスとして使用されようと、スマートメータリングのために、またはスマートグリッドネットワークにおいて、使用されうる。このようなデバイスは、センサアプリケーションを提供するか、またはホームオートメーション（homeautomation）において使用されうる。これらデバイスは、代わりにまたは加えて、例えば、パーソナルヘルスケアのために、ヘルスケアコンテキストにおいて使用されうる。それらはまた、（例えば、ホットスポットとともに使用するための）拡張された範囲のインターネット接続性を可能にするために、またはマシンツーマシン通信を実行するために、監視（surveillance）のために使用されうる。
【００１９】
[0024]局およびＡＰのようなワイヤレスノードは、８０２．１１ａｈ規格に準拠するネットワークのようなキャリア検知多重アクセス（ＣＳＭＡ：Carrier Sense Multiple Access）タイプネットワークにおいて対話しうる。ＣＳＭＡは、確率的（probabilistic）媒体アクセス制御（ＭＡＣ）プロトコルである。「キャリア検知」は、媒体上で送信するように企てているノードが、それ自体の送信を送ろうと試みる前に、キャリア波を検出するためにその受信機からのフィードバックを使用しうるという事実を表現している。「多重アクセス（Multiple Access）」は、複数のノードが共有媒体上で送ることおよび受信することを行いうるという事実を表現している。したがって、ＣＳＭＡタイプネットワークにおいて、送信ノードは媒体を検知し、媒体がビジーである（すなわち、別のノードが媒体上で送信している）場合、送信ノードはその送信を後の時間に延期する。しかしながら、媒体がフリーであることが検知された場合には、送信ノードは、媒体上でそのデータを送信することができる。
【００２０】
[0025]クリアチャネルアセスメント（ＣＣＡ：Clear Channel Assessment）は、ノードが媒体の上で送信しようと試みる前にその媒体の状態を決定するために使用される。ＣＣＡプロシージャは、ノードの受信機がオンにされ、かつノードがパケットのようなデータユニットを現在送信中でない間に実行される。ノードは、例えば、パケットのＰＨＹプリアンブルを検出することによりパケットの開始を検出することによって、媒体がクリアであるかどうかを検知し得る。この方法は、比較的より弱い信号を検出しうる。したがって、この方法では、低い検出しきい値が存在する。かわりの方法は、無線での（on the air）何らかのエネルギーを検出することであり、これは、エネルギー検出（ＥＤ）と称されうる。この方法は、パケットの開始を検出することよりも比較的より感度が低く、比較的より強い信号のみを検出しうる。したがって、この方法では、より高い検出しきい値が存在する。一般に、媒体上の別の送信の検出は、送信のうちの受信電力の関数であり、ここで受信電力は、送信電力から経路損失を差し引いたものである。
【００２１】
[0026]ＣＳＭＡが使用頻度の高くない媒体に特に効果的である一方で、媒体がそれに同時にアクセスしようと試みる多くのデバイスにより混雑するようになる場合には、パフォーマンスの低下が生じうる。複数の送信ノードが同時に媒体を使用しようと試みる場合、同時送信の間の衝突が生じ得、送信されたデータは、損失されるか、または破損されうる。ワイヤレスデータ通信を用いると、媒体を、その上で送信しながらリスンすることは一般に可能ではないので、衝突検出は可能ではない。さらに１つのノードによる送信は、一般に、送信ノードの範囲にある、この媒体を使用する他のノードによってのみ受信される。これは、隠れノード問題として知られており、それによって、例えば、受信ノードに送信することを望み、かつ受信ノードの範囲にある第１のノードは、受信ノードに現在送信中である第２のノードの範囲になく、したがって、第１のノードは、第２のノードが受信ノードに送信しており、それゆえに媒体を占有していることを知ることができない。このような状況では、第１のノードは、媒体がフリーであることを検知して、送信し始めることがあり得、これは、その後、受信ノードにおいて衝突および損失データをもたらしうる。したがって、衝突回避スキームは、衝突ドメイン内のすべての送信ノードの間で、ある程度等しく（somewhat equally）媒体へのアクセスを分割するように企てることによって、ＣＳＭＡのパフォーマンスを改善するために使用される。特に、衝突回避は、媒体の性質、このケースでは無線周波数スペクトル、に起因した衝突検出とは異なる。
【００２２】
[0027]衝突回避（ＣＡ：collision avoidance）を利用するＣＳＭＡネットワークでは、送信することを望むノードは最初に媒体を検知し、媒体がビジーである場合には、それは、ある時間期間の間延期する（すなわち、送信しない）。延期の期間は、ランダム化されたバックオフ期間、すなわち、送信することを望むノードが媒体にアクセスすること企てないだろう追加の時間期間によって後続される。バックオフ期間は、同時に媒体にアクセスしようと試みる異なるノード間の競合を解決するために使用される。バックオフ期間はまた、競合ウィンドウとも称されうる。バックオフは、媒体にアクセスしようと試みる各ノードが、媒体にアクセスしようと試みる前に、ある範囲におけるランダムな数を選択して選択された数のタイムスロットの間待機し、前に異なるノードが媒体にアクセスしたかどうかを検査することを要求する。スロットタイムは、別のノードが前のスロットの始まりにおいて媒体にアクセスしたかどうかを、ノードが常に決定することができるように定義される。特に、８０２．１１規格は、指数関数的バックオフアルゴリズム（exponential backoff algorithm）を使用し、ここで、ノードがスロットを選択し、別のノードと衝突するたびに、それは、指数関数的に範囲の最大数を増加することになる。他方では、送信することを望むノードが、（８０２．１１規格における分散フレーム間隔（ＤＩＦＳ：Distributed Inter Frame Space）と呼ばれる）指定された時間の間フリーであると媒体を検知した場合には、このノードは、媒体上で送信することが可能になる。送信後、受信ノードは、受信されたデータの巡回冗長検査（ＣＲＣ）を実行し、送信ノードに肯定応答を送り返すことになる。送信ノードによる肯定応答の受信は、いずれの衝突も起こらなかったことを送信ノードに示すことになる。同様に、送信ノードにおいて肯定応答の受信がないことは、衝突が起こり、送信ノードがデータを再送すべきであることを示すことになる。
【００２３】
[0028]図１は、本開示の態様が用いられうるワイヤレス通信システム１００の例を例示している。ワイヤレス通信システム１００は、例えば、８０２．１１ａｈ規格のような、ワイヤレス規格に則って動作しうる。ワイヤレス通信システム１００は、ＡＰ１０４を含むことができ、それはＳＴＡ１０６と通信する。
【００２４】
[0029]様々なプロセスおよび方法が、ＡＰ１０４とＳＴＡ１０６と間のワイヤレス通信システム１００における送信のために使用されうる。例えば、信号は、ＯＦＤＭ／ＯＦＤＭＡ技法にしたがって、ＡＰ１０４とＳＴＡ１０６の間で送られる、および受信されることができる。この場合には、ワイヤレス通信システム１００は、ＯＦＤＭ／ＯＦＤＭＡシステムと称されうる。代わりとして、信号は、ＣＤＭＡ技法にしたがって、ＡＰ１０４とＳＴＡ１０６の間で送られる、および受信されることができる。この場合には、ワイヤレス通信システム１００は、ＣＤＭＡシステムと称されうる。
【００２５】
[0030]ＡＰ１０４からＳＴＡ１０６のうちの１つまたは複数ヘの送信を容易にする通信リンクは、ダウンリンク（ＤＬ）１０８と称されることができ、ＳＴＡ１０６のうちの１つまたは複数からＡＰ１０４への送信を容易にする通信リンクは、アップリンク（ＵＬ）１１０と称されることができる。代わりとして、ダウンリンク１０８は、順方向リンクまたは順方向チャネルと称されることができ、アップリンク１１０は、逆方向リンクまたは逆方向チャネルと称されることができる。
【００２６】
[0031]ＡＰ１０４は、基地局の役目を務め、基本サービスエリア（ＢＳＡ）１０２においてワイヤレス通信カバレッジを提供することができる。通信のためにＡＰ１０４を使用するＡＰ１０４に関連付けられたＳＴＡ１０６とともに、ＡＰ１０４は、基本サービスセット（ＢＳＳ）と称されうる。ワイヤレス通信システム１００は、中央ＡＰ１０４を有していない場合があるが、むしろＳＴＡ１０６間のピアツーピアネットワークとして機能しうることは留意されるべきである。したがって、本明細書で説明されているＡＰ１０４の機能は、代わりとしてＳＴＡ１０６のうちの１つまたは複数によって実行されうる。
【００２７】
[0032]ＳＴＡ１０６は、タイプが限定されず、様々な異なるＳＴＡを含むことができる。例えば、図１に例示されているように、ＳＴＡ１０６は、ほんの数例を挙げると、セルラ電話１０６ａ、テレビジョン１０６ｂ、ラップトップ１０６ｃ、およびいくつかのセンサ１０６ｄ（例えば、気象センサまたはワイヤレスプロトコルを使用して通信する能力を有する他のセンサ）を含むことができる。
【００２８】
[0033]図２は、ワイヤレス通信システム１００内で用いられうるワイヤレスデバイス２０２において利用されうる様々なコンポーネントを例示している。ワイヤレスデバイス２０２は、本明細書で説明されている様々な方法を実行するように構成されうるデバイスの例である。例えば、ワイヤレスデバイス２０２は、ＡＰ１０４、またはＳＴＡ１０６のうちの１つを備えることができる。
【００２９】
[0034] ワイヤレスデバイス２０２は、ワイヤレスデバイス２０２の動作を制御するプロセッサ２０４を含むことができる。プロセッサ２０４はまた、中央処理ユニット（ＣＰＵ）またはハードウェアプロセッサとも称されうる。読取専用メモリ（ＲＯＭ）およびランダムアクセスメモリ（ＲＡＭ）の双方を含みうる、メモリ２０６は、プロセッサ２０４に命令およびデータを供給する。メモリ２０６の一部はまた、不揮発性ランダムアクセスメモリ（ＮＶＲＡＭ）を含むことができる。プロセッサ２０４は通常、メモリ２０６内に記憶されたプログラム命令に基づいて、論理および算術演算を実行する。メモリ２０６における命令は、本明細書で説明されている方法を実行するために実行可能でありうる。
【００３０】
[0035]プロセッサ２０４は、１つまたは複数のプロセッサで実装される処理システムのコンポーネントである、またはそれを備えることができる。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲートロジック、個別ハードウェアコンポーネント、専用ハードウェア有限ステートマシン、あるいは計算または情報の他の操作を実行しうるあらゆる他の適したエンティティの任意の組み合わせで実装されうる。
【００３１】
[0036]処理システムはまた、ソフトウェアを記憶するための機械可読媒体も含むことができる。ソフトウェアは、ソフトウェア、ファームウェア、ミドルウェア、マイクロコード、ハードウェア記述言語と称されようと、その他の方法で称されようと、いずれのタイプの命令も意味するように広く解釈されるものとする。命令は、（例えば、ソースコードフォーマット、バイナリコードフォーマット、実行可能コードフォーマット、またはあらゆる他の適したコードのフォーマットで）コードを含むことができる。これら命令は、１つまたは複数のプロセッサによって実行されるとき、処理システムに、本明細書で説明されている様々な機能を実行させる。
【００３２】
[0037] ワイヤレスデバイス２０２はまた、ワイヤレスデバイス２０２と遠隔ロケーションとの間のデータの送信および受信を可能にするための送信機２１０および受信機２１２を含むことができる。さらに、送信機２１０および受信機２１２は、例えば、ＡＰを含む、遠隔ロケーションとワイヤレスデバイス２０２との間のセットアップおよび／または構成パケットまたはフレームの送信および受信を可能にするように構成されうる。送信機２１０および受信機２１２は、トランシーバ２１４中に組み合わされうる。アンテナ２１６は、ハウジング２０８に取り付けられ、トランシーバ２１４に電気的に結合されうる。代わりとして、または追加として、ワイヤレスデバイス２０２は、ハウジング２０８の一部として形成されるアンテナ２１６を含み得、、あるいは、内部アンテナでありうる。ワイヤレスデバイス２０２はまた、複数の送信機、複数の受信機、複数のトランシーバ、および／または複数のアンテナ（図示せず）を含むことができる。
【００３３】
[0038] ワイヤレスデバイス２０２はまた、トランシーバ２１４によって受信される信号を検出し、信号の検出を定量化するのに使用されうる信号検出器２１８を含みうる。信号検出器２１８は、このような信号を、総エネルギー、シンボルごとのサブキャリア当たりのエネルギー、電力スペクトル密度、および他の信号として検出しうる。ワイヤレスデバイス２０２はまた、信号を処理する際に使用されるデジタルシグナルプロセッサ（ＤＳＰ）２２０を含むことができる。ＤＳＰ２２０は、送信のためのデータユニットを生成するように構成されうる。いくつかの態様では、データユニットは、物理レイヤデータユニット（ＰＰＤＵ）を備えることができる。いくつかの態様では、ＰＰＤＵは、パケットまたはフレームと称される。
【００３４】
[0039] ワイヤレスデバイス２０２は、いくつかの態様において、ユーザインタフェース２２２をさらに備えることができる。ユーザインタフェース２２２は、キーパッド、マイクロフォン、スピーカ、および／またはディスプレイを備えることができる。ユーザインタフェース２２２は、ワイヤレスデバイス２０２のユーザに情報を伝える、および／またはユーザからの入力を受け取るあらゆる要素またはコンポーネントを含むことができる。
【００３５】
[0040]ワイヤレスデバイス２０２の様々なコンポーネントは、ハウジング２０８内に収容されうる。さらに、ワイヤレスデバイス２０２の様々なコンポーネントは、バスシステム２２６によって互いに結合されうる。バスシステム２２６は、例えばデータバスのみならず、データバスに加えて、電力バス、制御信号バス、およびステータス信号バスを含むことができる。当業者は、ワイヤレスデバイス２０２のコンポーネントは互いに結合されることができること、あるいは何らかの他のメカニズムを使用して互いに入力を受け取るか、または提供することができることを認識するだろう。
【００３６】
[0041]いくつかの別個のコンポーネントが図２に例示されているけれども、当業者は、これらコンポーネントのうちの１つまたは複数が、組み合わされるか、または共通に実装されうることを理解するだろう。例えば、プロセッサ２０４は、プロセッサ２０４に関して上記で説明された機能を実装するのみならず、信号検出器２１８および／またはＤＳＰ２２０に関して上記で説明された機能を実行するためにも使用されうる。さらに、図２で例示されているコンポーネントの各々は、複数の別個の要素を使用して実装されうる。
【００３７】
[0042]ＩＥＥＥ８０２．１１ａｈプロトコルで指定されるもののような、ある特定のワイヤレス通信では、サブギガヘルツの帯域が使用されうる。同じ送信電力を前提とすると、この帯域は、より小さな伝搬損失に起因して、他のより高い帯域よりも長い通信距離を許容しうる。例えば、これらの帯域は、ＩＥＥＥ８０２．１１ｎで使用される場合、２．４ＧＨｚまたは５ＧＨｚ上では約８．５および１５ｄＢ分少ない自由空間伝搬損失がある。このより長い距離は、デバイスがより遠距離から通信することを可能にしうる。しかしながら、ビジーエリアでは、このより長い距離は、任意の個々のデバイスが多数の他のデバイスからの送信をヒアする（hear）ことになることも意味しうる。このことは、デバイスがそれらの他の送信に譲歩し（defer to）なければならず、媒体にアクセスすることができないという課題を引き起こしうる。例えば、デバイスは、送信の前に媒体を検査し得、デバイスが十分により長い距離を有する場合には媒体がビジーであることを発見する可能性がよりずっと高い。この問題に対する１つの可能な解決策は、デバイスによって使用されるＣＣＡしきい値を上げることである。より高いＣＣＡしきい値は、デバイスを、離れたデバイスに対してより感度を低くし、これにより、より少ない頻度で他のデバイスに譲歩しうる。したがって、より高いＣＣＡしきい値が、媒体の再使用をより好ましく促進し、それにより、一般により高いネットワークスループットをもたらしうる。いくつかの使用ケースでは、そのようなより高いＣＣＡしきい値は、例えば、８０２．１１ａｈネットワークのネットワークスループットが最も重要である使用ケースにおいて望まれうる。しかしながら、ＣＣＡしきい値を上げることに伴う１つの課題は、低帯域幅デバイスおよび低電力デバイスが、それらの送信が上げられたＣＣＡしきい値を超えるのに十分なエネルギーレベルでないことがあるため、それらの送信に対する完全な保護を受け取れないことがある、ということである。たとえば、１または２ＭＨｚの帯域幅を有し、かつＰＡを有さないセンサは、ＩＥＥＥ８０２．１１ａｈの重要な使用ケースであり得、これらのセンサは、上げられたＣＣＡしきい値を伴うデバイスを有する媒体上でそれらの送信に対する完全な保護を受け取らないことがある。これらのセンサは、電力使用量を最小限にするために低電力送信機を使用することができる。したがって低ＣＣＡしきい値は、より好ましい保護が望まれうる使用ケース、例えば、より長いカバレッジ距離が望まれる８０２．１１ａｈの使用ケースにおいて有益でありうる。
【００３８】
[0043]加えて、いくつかの使用ケースにおいて、上がったＣＣＡしきい値の利点を依然として取得しながら低電力および／または低帯域幅送信を提供するために、２つ以上のタイプのチャネルの各々に関連付けられた異なるＣＣＡしきい値で、スペクトルが２つ以上のタイプのチャネルに分けられ、それにより、低しきい値と高しきい値の組み合わせを提示することができる。したがって、望まれる使用ケースのすべてのニーズを満たすしきい値の１つのセットを発見することが難しくありうる使用ケースでは、複数のチャネルが使用ケースごとに実装され得、その各々は異なるセットのしきい値を有し、例えば、第１のチャネルはより高いスループットに適合するためにより高いＣＣＡしきい値を有し、および第２のチャネルはより大きなカバレッジエリアに適合するために低ＣＣＡしきい値を有する。例えば、図３は、２つのタイプのチャネルに関連付けられた異なるＣＣＡしきい値で、２つのタイプのチャネルにＩＥＥＥ８０２．１１ａｈスペクトルを分ける方法の例示である。図３では、ＩＥＥＥ８０２．１１ａｈのために使用されるスペクトルの２６ＭＨｚは、２つのタイプ、タイプ１スペクトル３０５およびタイプ２スペクトル３１０、に分割されている。
【００３９】
[0044]タイプ２スペクトル３１０におけるチャネルは、タイプ１スペクトル３０５におけるチャネルよりも高いＣＣＡしきい値を有しうる。例えば、タイプ２スペクトル３１０におけるチャネルは、１ｄＢ、４ｄＢ、１０ｄＢ、１２ｄＢ、１５ｄＢ、またはタイプ１スペクトル３０５におけるＣＣＡしきい値よりも高い幾ばくかの他の量、であるＣＣＡしきい値を有しうる。これらのより高いＣＣＡしきい値は、スペクトルのこの部分を使用することを望むデバイスがこれらの周波数を使用することができる時間の割合を増加させ得る、それがそのようなデバイスがスペクトルは既に使用中であると決定するだろう時間の割合を減少させることができるためである。同様に、より低いＣＣＡしきい値を有する他のチャネルも提供されうる。これらのチャネルは低電力および／または低帯域幅デバイスに利益をもたらし、それらは、より低いＣＣＡしきい値チャネルにおけるそれらの送信のためのより完全な保護を受けることができ、それは、これらのチャネル上のより低いＣＣＡしきい値が、より高いＣＣＡしきい値チャネルにおいて譲歩するデバイスよりも、より広いエリアにおけるより多いデバイスがこれらの低電力デバイスの送信に譲歩することを意味しうるためである。いくつかの態様では、より低いＣＣＡしきい値を有するチャネルは、低電力および／または低帯域幅デバイスがあまりに多い他の送信に譲歩しなければならず媒体にアクセスできないという課題を回避するために、カバレッジ範囲に関して最適化されうる。いくつかの態様では、より高い帯域幅デバイスが、デフォルトとして高ＣＣＡしきい値チャネルを使用するというように、むしろ高ＣＣＡしきい値チャネルを選ぶように構成され得、それに対して、より低い帯域幅デバイスは、デフォルトとしてむしろより低いＣＣＡしきい値を使用することを選びうる。
【００４０】
[0045]図３におけるチャネルの分割は、スペクトルを分割するための方法の単なる例である。この分割はまた、スペクトルの他の部分でも行われ得、他の方法でも行われうる。例えば、２つ以上のチャネルが使用されうる。図３で図示されている分割はスペクトルの特定の部分にとって有益であり得、それは、それがスペクトルのその部分内に含まれる単一の１６ＭＨｚチャネルがより高いＣＣＡしきい値を使用することを可能にしうるためである。これは有益であり得、それは、セルラ電話のようなより高い帯域幅デバイスが、より頻繁に１６ＭＨｚを使用することを可能にし、チャネルはより少ない頻度で他のプラットフォームによって使用中であると発見されるために、タイプ２スペクトル３１０チャネルにおけるより高いＣＣＡしきい値が、これらの高い帯域幅デバイスがより高い頻度でチャネルにアクセスすることを可能にし得るからである。図３におけるチャネルの分割が、単一の１６ＭＨｚチャネルのような、どの個々のチャネルタイプ１とタイプ２部分の両方を含まないと規定するのに対して、単一のチャネルがより高いＣＣＡしきい値チャネルである部分、およびより低いＣＣＡしきい値チャネルである部分を含みうる場合、他の分割が使用されうる。例えば、ＣＣＡしきい値は、２ＭＨｚチャネルの最初の１ＭＨｚは、より高いＣＣＡしきい値を伴うタイプ２チャネルであり、２ＭＨｚチャネルの１番目の２ＭＨｚは、より低いＣＣＡしきい値を伴うタイプ１チャネルである、と設定されうる。
【００４１】
[0046]いくつかの態様では、より高いＣＣＡしきい値チャネル、タイプ２チャネルのような、のためのＣＣＡしきい値レベルは、タイプ１チャネルのＣＣＡしきい値レベルから導き出されうる。例えば、タイプ２チャネルのＣＣＡしきい値レベルは、タイプ１のＣＣＡしきい値レベルになんらかの保護ファクタを加えたもの、でありうる。いくつかの態様では、保護ファクタは、デシベルで測定されるデルタ、すなわち電力レベル差異として表されうる。この保護ファクタは、例えば１ｄＢ、４ｄＢ、１０ｄＢ、１２ｄＢ、１５ｄＢ、またはなんらかの他のｄＢレベルでありうる。いくつかの態様では、保護ファクタは、１ｄＢから１５ｄＢまでの間でありうる。いくつかの態様では、保護ファクタは、少なくともより低い帯域幅チャネルに関してゼロ以上のいずれの値でもありうる。いくつかの態様では、保護ファクタは、少なくともより低い帯域幅チャネルに関していずれの非ゼロ値でありうる。加えていくつかの態様では、より高い帯域幅がゼロｄＢ保護ファクタを有しうる。また別の態様では、すべての帯域幅に関してではなくいくつかの帯域幅に対して個々に保護ファクタを設定して、保護ファクタは、いくつかの環境でのみゼロに設定されることができる。この保護ファクタは、チャネルに対するＣＣＡしきい値の各々に適用されうる。
【００４２】
[0047]例えばチャネルは、３つの異なるＣＣＡしきい値を有しうる。チャネルは、エネルギー検出のためにより高いＣＣＡしきい値を、ミッドパケット検出のためにより低いＣＣＡしきい値レベルを、パケット（プリアンブル信号）検出の開始のより低く静止した（low-still）ＣＣＡしきい値レベルを有することができる。いくつかの態様では、タイプ１チャネルのこれらのＣＣＡしきい値レベルの各々は、タイプ２チャネルにおける保護ファクタ分増加しうる。いくつかの態様では、各レベルに対する保護ファクタは、同じでありうる、またはＣＣＡしきい値毎に異なりうる。いくつかの態様では、使用される保護ファクタは、異なる帯域幅チャネルに対して異なりうる。例えば、８ＭＨｚチャネルは、１６ＭＨｚチャネルとは異なるＣＣＡしきい値および異なる保護ファクタを使用することができる。
【００４３】
[0048]いくつかの態様では、本明細書で開示されているチャネル化および保護ファクタは、いくつかのタイプの送信にとって、他のタイプの送信よりも有利である傾向にある。このことは、図６に関連してより詳細に図式的に説明される。非限定的な例として、所与のチャネル化は、より低い帯域幅のまたはより低い効率の送信と比べて、より高いデータレートまたは帯域幅のあるいはより効率的な送信を有するタイプ２送信のためのより高いＣＣＡレベルを用いうる。反対に同じ例が、より低い帯域幅またはより低い効率を有するタイプ１送信を退けうる。このことは、例えばタイプ１チャネルに割り当てるものよりも、より高いＣＣＡしきい値およびより低い保護ファクタを所与のタイプ２チャネルに割り当てる態様において可能である。より低い保護ファクタおよびより高いＣＣＡしきい値を有する、本明細書で開示されているようなタイプ２チャネルは、より高い保護ファクタおよびより低いＣＣＡしきい値を有するタイプ１チャネルよりも、「ビジー媒体」のより少ない場合を経験し、それにより、より低い頻度で送信を延期することになる。
【００４４】
[0049]いくつかの態様では、図３は、米国のようないくつかの地域におけるＩＥＥＥ８０１．１１ａｈネットワークのための可能なチャネル化を表すことができる。このチャネル化は、異なるＣＣＡレベルの地域をまたぐチャネルは存在しないので、有益でありうる。このチャネル化の別の利点は、高いデータレートデバイスに関して、１６ＭＨｚのタイプ２チャネルが提供されることでありうる。２つのタイプ１チャネルエリアは、周波数で分離されることも有益であり得、これはセンサが干渉を回避することを助けうる。いくつかの態様では、他のチャネル化が使用されうる。例えば他のチャネル化が、他の地域で使用されうる。例えば図５は、別の可能なチャネル化を例示している。このチャネル化は、十分なワイヤレススペクトルが利用可能である、中国または他の地域で使用されうる。このチャネル化では、タイプ１チャネルは、より高いＣＣＡしきい値を伴い、７５５から７７９ＭＨｚまでの間でありうる。このことは、タイプ１チャネルの２４つの１ＭＨｚチャネルを提供することができる。上記で論じられたように、これらのチャネルは、低帯域幅デバイスによって効率的に使用されうる。高帯域幅デバイスは、７７９から７８７ＭＨＺまでの間のタイプ２チャネルを使用することができ、それは、８つの１ＭＨｚチャネル、４つの２ＭＨｚチャネル、２つの４ＭＨｚチャネル、１つの８ＭＨｚチャネルを含むことができる。このチャネル化は、異なるＣＣＡレベルの地域をまたぐチャネルを含まないことのような、図３のチャネル化によって提供されるものと同じ利点のいくつかを提供することができる。
【００４５】
[0050]図４は、ワイヤレスデバイスにおいてチャネル依存型ＣＣＡしきい値を使用する方法を図示している。この方法は、ＳＴＡ１０６のような、ワイヤレスデバイスによって使用されうる。
【００４６】
[0051]ブロック４０４において、ＳＴＡ１０６は、チャネルが、少なくとも第１のタイプのチャネルおよび第２のタイプのチャネルのうちの１つであるかどうかを決定する。例えば、ＳＴＡ１０６が使用して通信するように構成されるチャネルは、図３で例示されている２つのタイプのチャネルへの分割にしたがって分割されうる。いくつかの態様では、より多くのタイプのチャネルのうちの３つが使用されうる。いくつかの態様では、２ＭＨｚチャネルのようなチャネルは、チャネルのいくらかの部分に対する第１のタイプのチャネルと、そのチャネルのいくらかの他の部分に対する第２のタイプのチャネルとの両方でありうる。そのようなチャネルでは、第１および第２のクリアチャネルアセスメントしきい値のセットがチャネルの異なる部分のために使用されうる。いくつかの態様では、チャネルは、ＩＥＥＥ８０２．１１ａｈネットワークのようなネットワーク上のワイヤレス通信チャネルでありうる。いくつかの態様では、チャネルは、１ＭＨｚ、２ＭＨｚ、４ＭＨｚ、８ＭＨｚ、または１６ＭＨｚチャネルのうちの少なくとも１つでありうる。いくつかの態様では、チャネルは、サブギガヘルツチャネルでありうる。いくつかの態様では、ＳＴＡ１０６は、低電力の、または低帯域幅デバイスであり得、デフォルトによって第１のタイプのチャネルを使用するように構成されうる。いくつかの態様では、ＳＴＡ１０６は、高帯域幅デバイスであり得、デフォルトによって第２のタイプのチャネルを使用するように構成されうる。
【００４７】
[0052]いくつかの態様では、チャネルが第１のタイプのチャネルであるのか、または第２のタイプのチャネルであるのかを決定することは、ルックアップテーブルを使用して行われうる。例えば、テーブルは、ワイヤレスデバイスが、特定のチャネルが第１のタイプのチャネルであるのか、または第２のタイプのチャネルであるのかを決定することを可能にするのに十分な情報を含むワイヤレスデバイス上で維持されうる。いくつかの態様では、アクセスポイントまたは他のワイヤレスデバイスは、チャネルが第１のタイプのチャネルであるのか、または第２のタイプのチャネルであるのかをワイヤレスデバイスが決定することを可能にするのに十分な情報を含むことができる。例えば、ワイヤレスデバイスは、アクセスポイントから、ルックアップテーブルのような、特定のチャネルのタイプを決定するのに十分な情報を受信することができる。いくつかの態様では、アクセスポイントは、周期的にこの情報を送信することができる。いくつかの態様では、ワイヤレスデバイスは、特定のチャネルのタイプを決定するために使用されうる、ルックアップテーブルまたは他の情報でプログラミングされうる。
【００４８】
[0053]ブロック４０８において、チャネルが第１のタイプのチャネルである場合、ＳＴＡ１０６は、第１のクリアチャネルアセスメントしきい値のセットに少なくとも部分的に基づいて、チャネルが使用中であるかどうかを決定する。いくつかの態様では、第１のクリアチャネルアセスメントしきい値のセットは、エネルギー検出、プリアンブル検出、およびミッドパケット間隔検出のためのような、異なるタイプのクリアチャネルアセスメントのために、複数の異なるしきい値を備えることができる。
【００４９】
[0054]ブロック４１２において、チャネルが第２のタイプのチャネルである場合、ＳＴＡ１０６は、第２のクリアチャネルアセスメントしきい値のセットに少なくとも部分的に基づいて、チャネルが使用中であるかどうかを決定し、ここで、第２のクリアチャネルアセスメントしきい値のセットは、第１のクリアチャネルアセスメントしきい値のセット以上である。いくつかの態様では、第２のクリアチャネルアセスメントしきい値のセットは、エネルギー検出、プリアンブル検出、およびミッドパケット検出のためのような、異なるタイプのクリアチャネルアセスメントのために、複数の異なるしきい値を備えることができる。いくつかの態様では、第２のクリアチャネルアセスメントしきい値のセットは、第１のクリアチャネルアセスメントしきい値のセットに保護ファクタを加えたものに基づきうる。いくつかの態様では、異なるタイプのクリアチャネルアセスメントに対する保護ファクタは異なりうる。
【００５０】
[0055]次に図６を参照すると、概して６００で指定されたグラフは、水平軸６０４上で例示的なチャネルに対して区割りされ、ｄＢｍの単位で表され、時折本明細書において「プリアンブル検出（ＰＤ）レベル」と説明される、垂直軸６０２上のＣＣＡレベルの例示的な分布を描くように図示されている。３つの線６１０、６２０、および６３０は、タイプ（１または２）およびチャネルに対するＣＣＡしきい値レベルを示す。線６１０、６２０、および６３０は、ＰＤレベル対チャネル番号の分布を描く階段形式で概して図示されており、各チャネル番号は、グラフ上で言及されているように、異なる帯域幅を有する。各タイプ１およびタイプ２チャネルの帯域幅は、図示されているように、変化するＣＣＡに対して同じでありうる。線６１０−６３０は、水平軸上の点６１２で始まり、タイプ１チャネル１−５の各々に対するＣＣＡレベルに沿って図示されている。図示されているように、例示的なチャネル１は１ＭＨｚ帯域幅を有するように図示されており、チャネル２は２ＭＨｚ帯域幅を有し、チャネル３は４ＭＨｚ帯域幅を有し、チャネル４は８ＭＨｚ帯域幅を有し、チャネル５は１６ＭＨｚ帯域幅を有する。チャネル番号対帯域幅の特定の分布が限定するものであると考えられるべきではないことは当業者には認識されるべきである。
【００５１】
[0056]線６１０はまた、タイプ１ＰＤレベルおよびチャネル化に一致し、チャネル１および２について点６１２において破線で始まり、チャネル３、４、および５について点６１４において（線６３０と一致する）実線に変化する。
【００５２】
[0057]同様に、（鎖線として図示されている）例示的な線６２０は、チャネル１および２について点６２２において始まり、チャネル３、４、および５について点６１４において実線に変化する、チャネル化に沿ったタイプ２のＣＣＡしきい値を追跡する。したがって、実線６３０は、タイプ１およびタイプ２のＣＣＡレベル対チャネル化が、ポイント６１４の右側および上部では、より高い帯域幅チャネル３、４、および５の各々に対して同じ帯域幅およびＰＤ値を有しうることに注記を付けている。
【００５３】
[0058]重要なことには、垂直の距離、すなわちデルタ６５０は、タイプ１チャネル１および２とタイプ２チャネル１および２のＣＣＡレベル間のＰＤレベルの距離を示している。いくつかの態様では、デルタ６５０は、１および２ＭＨｚのＰＤレベルに関してゼロ（０）より大きく設定されうる。反対に、例えばデルタ６５０はまた、４、８、および１６ＭＨｚのＰＤレベルに関してゼロ（０）に設定されうる。デルタ６５０はまた、上記で説明されたように、保護ファクタとも本明細書では称されうる。このタイプのＰＤレベル分布は、チャネルの所与のセットに関する保護ファクタを使用してＣＣＡレベルを増加させることによってより低い電力タイプ１チャネルと同じ帯域幅を有するより高い電力タイプ２チャネルの送信を選ぶ傾向がありうる。いくつかの態様では、ＣＣＡレベルは帯域幅に基づくことができ、図示されているような１つまたは複数の特定の帯域幅を選ぶように選択されうる。図６は、より低い帯域幅タイプ２チャネルに対しては高ＣＣＡしきい値を、タイプ１およびタイプ２フォーマットの高帯域幅に対しては等しいＣＣＡしきい値レベルを提供する可能なチャネル化を描いている。このように、タイプ１およびタイプ２チャネルは、チャネル３、４、および５に対して４、８、および１６ＭＨｚの参照符をつけて、線６３０を用いて同じＰＤレベル分布に従う。
【００５４】
[0059]また別の態様では、デルタ６５０は、図示されている例示的な帯域幅１−５のような、選択された帯域幅のスペクトルの全域で不規則に適用されうる；つまり保護ファクタ、すなわちデルタ６５０は、帯域幅２および４にではなく、帯域幅１、３、および５に適用されうる（図示せず）。上記で論じられたように、そのような分布により、所与のシステムが他の送信よりも特定の送信を優先できるようになりうる。しかしながらいくつかの態様では、保護ファクタ、すなわちデルタ６５０のそのような適用は、他の信号特性が考慮されるので、必ずしも帯域幅または効率に基づくわけではない。
【００５５】
[0060]本明細書で使用される場合、「決定すること」という用語は、幅広い動きを含む。例えば、「決定すること」は、計算すること、コンピューティングすること、処理すること、導き出すこと、調査すること、ルックアップすること（例えば、表、データベース、または別のデータ構造をルックアップすること）、確定すること等を含むことができる。また、「決定すること」は、受信すること（例えば、情報を受信すること）、アクセスすること（例えば、メモリにおけるデータにアクセスすること）等を含むことができる。また、「決定すること」は、解決すること、選択すること、選ぶこと、確立すること、等を含むことができる。さらに、本明細書で使用される場合、「チャネル幅」は、ある特定の態様において、帯域幅を包含することができるか、または帯域幅とも称されることもできる。
【００５６】
[0061]本明細書で使用される場合、アイテムのリスト「のうちの少なくとも１つ」を指す表現は、単一のメンバを含む、それらのアイテムのあらゆる組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図されている。
【００５７】
[0062]上記で説明された方法の様々な動作は、様々なハードウェアおよび／またはソフトウェアの（１つまたは複数の）コンポーネント、回路、および／または（１つまたは複数の）モジュール等の、これら動作を実行する能力を有するあらゆる適した手段によって実行されうる。一般に、図において例示されている任意の動作は、これら動作を実行する能力を有する対応する機能的手段によって実行されうる。
【００５８】
[0063]本開示に関係して説明された様々な事例的論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタロジック、ディスクリートハードウェアコンポーネント、あるいは本明細書で説明されている機能を実行するように設計されたこれらのあらゆる組み合わせを用いて実装または実行されうる。汎用プロセッサは、マイクロプロセッサであることができるが、その代わりに、プロセッサは、任意の商業的に利用可能なプロセッサ、コントローラ、マイクロコントローラ、またはステートマシンであることができる。プロセッサはまた、例えば、ＤＳＰとマイクロプロセッサの組み合わせ、複数のマイクロプロセッサ、ＤＳＰコアと連携した１つまたは複数のマイクロプロセッサ、あるいはあらゆる他のこのような構成であるコンピューティングデバイスの組み合わせとして実装されうる。
【００５９】
[0064]１つまたは複数の態様では、説明されている機能は、ハードウェア、ソフトウェア、ファームウェア、またはこれらのあらゆる組み合わせで実装されうる。ソフトウェアで実行される場合、これら機能は、コンピュータ可読媒体上で、１つまたは複数の命令またはコードとして送信または記憶されうる。コンピュータ可読媒体は、１つの場所から別の場所へのコンピュータプログラムの転送を容易にする任意の媒体を含む通信媒体とコンピュータ記憶媒体との両方を含む。記憶媒体は、コンピュータによってアクセスされうるあらゆる利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形態で所望のプログラムコードを記憶または搬送するために使用され得、かつコンピュータによってアクセスされうるあらゆる他の媒体を備えることができる。また、任意の接続手段が、コンピュータ可読媒体と厳密には称される。例えば、ソフトウェアが、同軸ケーブル、光ファイバーケーブル、ツイストペア、デジタル加入者線（ＤＳＬ）、または赤外線、無線、およびマイクロ波のようなワイヤレス技術を使用して、ウェブサイト、サーバ、または他の遠隔ソースから送信される場合には、この同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光ディスク（disc）、デジタルバーサタイルディスク（disc）（ＤＶＤ）、フロッピー（登録商標）ディスク（disk）、およびブルーレイディスク（disc）を含み、ここでディスク（disk）は通常、磁気的にデータを再生するが、ディスク（disc）は、レーザーを用いて光学的にデータを再生する。したがって、いくつかの態様では、コンピュータ可読媒体は、非一時的なコンピュータ可読媒体（例えば、有形媒体）を備えることができる。加えて、いくつかの態様において、コンピュータ可読媒体は、一時的なコンピュータ可読媒体（例え
ば、信号）を備えることができる。上記の組み合わせもまた、コンピュータ可読媒体の範囲内に含まれるべきである。
【００６０】
[0065]本明細書で開示されている方法は、説明された方法を達成するための１つまたは複数のステップまたは動きを備える。方法のステップおよび／または動きは、請求項の範囲から逸脱することなく互いに置き換えられうる。言い換えれば、ステップまたは動きの特定の順序が指定されない限り、特定のステップおよび／または動きの順序および／または使用は、請求項の範囲から逸脱することなく修正されうる。
【００６１】
[0066]したがって、ある特定の態様は、本明細書で提示されている動作を行うためのコンピュータプログラム製品を備えることができる。例えば、このようなコンピュータプログラム製品は、その上に命令が記憶（および／または符号化）されたコンピュータ可読媒体を備えることができ、これら命令は、本明細書で説明されている動作を実行するために１つまたは複数のプロセッサによって実行可能である。ある特定の態様では、コンピュータプログラム製品は、パッケージング材料を含むことができる。
【００６２】
[0067]ソフトウェアまたは命令はまた、送信媒体上で送信されうる。例えば、ソフトウェアが、同軸ケーブル、光ファイバーケーブル、ツイストペア、デジタル加入者線（ＤＳＬ）、または赤外線、無線、およびマイクロ波のようなワイヤレス技術を使用して、ウェブサイト、サーバ、または他の遠隔ソースから送信される場合には、この同軸ケーブル、光ファイバーケーブル、ツイストペア、ＤＳＬ、または赤外線、無線、およびマイクロ波のようなワイヤレス技術は、送信媒体の定義に含まれる。
【００６３】
[0068]さらに、本明細書で説明されている方法および技法を実行するためのモジュールおよび／または他の適切な手段は、適宜、ユーザ端末および／または基地局によってダウンロードされるおよび／または他の方法で取得されうることが認識されるべきである。例えば、このようなデバイスは、本明細書で説明されている方法を実行するための手段の転送を容易にするためにサーバに結合されうる。代わりとして、本明細書で説明されている様々な方法は、ユーザ端末および／または基地局が、デバイスに記憶手段を結合または提供する際に様々な方法を取得しうるように、記憶手段（例えば、ＲＡＭ、ＲＯＭ、コンパクトディスク（ＣＤ）またはフロッピーディスクのような物理記憶媒体、等）を介して提供されうる。さらに、本明細書で説明されている方法および技法をデバイスに提供するためのあらゆる他の適した技法が、利用されうる。
【００６４】
[0069]請求項は、上記に例示されたとおりの構成およびコンポーネントに限定されないことが理解されるべきである。請求項の範囲から逸脱することなく、上記で説明された方法および装置の、配列、動作、および詳細において、様々な修正、変更、および変形がなされうる。
【００６５】
[0070]前述の内容は本開示の態様を対象としているけれども、本開示の他のおよびさらなる態様が、その基礎的な範囲から逸脱することなく導き出されることができ、その範囲は、下記の請求項によって決定される。
【図１】
2016518072.tif 000003
【図２】
2016518072.tif 000004
【図３】
2016518072.tif 000005
【図４】
2016518072.tif 000006
【図５】
2016518072.tif 000007
【図６】
2016518072.tif 000008
【国際調査報告】
2016518072.tif 000009
2016518072.tif 000010
2016518072.tif 000011